(57)【特許請求の範囲】
【請求項１】
金属ケース内に高周波部品が実装された配線基板を配置した高周波装置のケースにおいて、
前記調整用コイルに対応する位置に設けられた螺旋形状の爪を有するケースカバーを備え、
前記配線基板に実装された調整用コイルの接地点である外装に前記爪を当接させると共に外部より前記調整用コイルを調整可能にしたことを特徴とする高周波装置のケース。
【請求項２】
請求項１記載の高周波装置のケースにおいて、
前記ケースカバーは、前記爪を複数有し、
前記調整用コイルの接地点である外装に複数の前記爪を当接させることを特徴とする高周波装置のケース。
【発明の詳細な説明】
【０００１】
【発明の属する技術分野】
本発明は例えばテレビジョン受像機の入力回路、高周波増幅回路、周波数変換回路より成るチューナー部等の高周波装置のケースに関する。
【０００２】
【従来の技術】
一般にテレビジョン受像機の入力回路、高周波増幅回路、周波数変換回路より成るチューナー部の高周波装置は電磁シールドのため例えばブリキ板より成る金属ケースにより被う如くしている。
【０００３】
この従来のチューナー部の金属ケースは図４及び図５に示す如く、入力回路、高周波増幅回路及び周波数変換回路の高周波部品が実装された配線基板１を囲む長方形の箱状の枠体２とこの枠体２の上下開口を覆う例えばブリキ板等の上及び下ケースカバー２ａ及び２ｂとより成っている。
【０００４】
この金属ケースの枠体２内に図５に示す如く所定の金属板例えばブリキ板より成る仕切板３を設けると共にこの仕切板３の所定位置に所定数の接触部３ａを設け、また上ケースカバー２ａの、この仕切板３の接触部３ａに対応する位置に、切込みにより細長形状の先端が遊端となされた爪４を形成し、この爪４の先端を、この仕切板３の接触部３ａに当接し、電気的及び機構的に接続し、所定の高周波特性（シールド効果）が得られる如くしていた。
【０００５】
【発明が解決しようとする課題】
然しながら近年、配線基板１に実装する高周波部品の密集度が高くなっており、またスペースを必要とする高周波部品を用いたときは、この仕切板３を必要なだけ配するスペースがなくなり、このケースカバー２ａ，２ｂの爪４を当接することができなくなり、安定した高周波特性（シールド効果）が得られなくなる不都合があった。
【０００６】
本発明は斯る点に鑑みより高い高周波特性（シールド効果）を得るようにすることを目的とする。
【０００７】
本発明高周波装置のケースは、金属ケース内に高周波部品が実装された配線基板を配置した高周波装置のケースにおいて、調整用コイルに対応する位置に設けられた螺旋形状の爪を有するケースカバーを備え、配線基板に実装された調整用コイルの接地点である外装に爪を当接させると共に外部より調整用コイルを調整可能にしたものである。
【０００８】
斯る本発明によればケースカバーの爪を調整用コイルの接地点である外装に当接するようにしたので、より高い高周波特性（シールド効果）を得ることができる。
【０００９】
【発明の実施の形態】
以下図１〜図３を参照して本発明高周波装置のケースの実施の形態の例につき説明しよう。本例においては、テレビジョン受像機の入力回路、高周波増幅回路及び周波数変換回路より成るチューナー部の高周波装置のケースに適用したものである。
【００１０】
本例においては、図１〜図３に示す如く、入力回路、高周波増幅回路及び周波数変換回路の高周波部品１０ａ，１０ｂ‥‥が実装された配線基板１０を囲む金属板例えばブリキ板より成る長方形の箱状の枠体１１と、この長方形の箱状の枠体１１の上下開口を覆う例えばブリキ板より成る上及び下ケースカバー１１ａ及び１１ｂとより成る。
【００１１】
この枠体１１は例えば幅４９ｍｍ、長さ１２７ｍｍ、厚さ９ｍｍの長方形の箱状の枠体であり、この枠体１１内に図３に示す如く、所定の金属板例えばブリキ板より成る仕切板１２を設けると共にこの仕切板１２の所定位置に所定数の接触部１２ａを設け、また上ケースカバー１１ａの仕切板１２の接触部１２ａに対応する位置に切込みにより細長形状の先端が遊端となされた爪１３を形成し、この爪１３の先端を、この仕切板１２の接触部１２ａに当接し、電気的及び機構的に接続し、高周波特性（シールド効果）が得られる如くする。
【００１２】
また、上及び下ケースカバー１１ａ及び１１ｂは、その外周部により枠体１１を挟持接触し、高周波特性（シールド効果）を確保する構成となされている。
【００１３】
この図３例の仕切板１２で仕切られた領域１２ｂは実装する高周波部品１０ａ，１０ｂの密集度が高くなっており、またスペースを必要とする高周波部品１０ａ等が配され、仕切板を必要なだけ配するスペースがない。
【００１４】
そこで、本例においては、配線基板１０に実装された高周波部品である例えば外装が接地点である調整コイル１０ａの真上に対応する位置において、上ケースカバー１１ａに図２Ｂに示す如く切込みにより２つの先端が遊端となされた螺旋形状の爪１４ａ及び１４ｂを形成し、この螺旋形状の爪１４ａ及び１４ｂの先端部を図２Ａに示す如く調整用コイル１０ａの外装上に当接する如くし、電気的に接続する如くする。
【００１５】
この場合、この２つの螺旋形状の爪１４ａ及び１４ｂの遊端中央に図２Ｂに示す如く円形の孔ができる如き切込みとし、このケースの外部よりドライバー等により、ケースカバー１１ａをしたままでこの調整用コイル１０ａを調整できる如くする。その他は従来と同様に構成する。
【００１６】
本例は上述の如く上ケースカバー１１ａの爪１４ａ，１４ｂを高周波部品の接地点である調整コイル１０ａの外装に直接当接するようにしたので、より高い高周波特性（シールド効果）を得ることができる。
【００１７】
また本例においてはこの爪１４ａ，１４ｂの形状を螺旋形状としたので、この爪１４ａ，１４ｂのストロークを長くでき且つ適切なバネ圧を確保でき例えば実装された高周波部品等への影響を少なくできる。因みに例えば高さ７ｍｍの調整コイル１０ａの外装にこの螺旋形状の爪１４ａ，１４ｂを当接するようにしたときは、この爪１４ａ，１４ｂの１ｍｍのたわみに対しこの調整コイル１０ａへのバネ圧は５０ｇ程度であった。
【００１８】
尚上述例では、上ケースカバー１１ａに設けた螺旋形状の爪１４ａ，１４ｂを高周波部品の接地点である調整コイル１０ａの外装に当接する如くしたが、この爪１４ａ，１４ｂを配線基板１０の接地点に直接当接するようにしても良い。この場合も上述例同様の作用効果が得られることは容易に理解できよう。
【００１９】
また、本発明は上述例に限ることなく、本発明の要旨を逸脱することなくその他種々の構成が採り得ることは勿論である。
【００２０】
【発明の効果】
本発明によればケースカバーの爪を高周波部品又は配線基板の接地点に当接するようにしたので、より高い高周波特性（シールド効果）を得ることができる。
【００２１】
また、本発明において、爪の形状を螺旋形状としたときは、この爪のストロークを長くでき且つ適切なバネ圧を確保できる。
【００２２】
また、本発明において、この爪を２つの螺旋形状とし、この爪の先端を調整コイル等の外装に当接するようにしたときには外部よりケースカバーをしたままで、この調整コイル等を調整することができる。
【図面の簡単な説明】
【図１】本発明高周波装置のケースの実施の形態の例を示す斜視図である。
【図２】図１例の要部の拡大図を示し、Ａは断面図、Ｂは平面図である。
【図３】図１例の上ケースカバーを取った状態を示す平面図である。
【図４】従来の高周波装置のケースの例を示す斜視図である。
【図５】図４の上ケースカバーを取った状態を示す斜視図である。
【符号の説明】
１０‥‥配線基板、１０ａ‥‥調整コイル、１０ｂ‥‥高周波部品、１１‥‥枠体、１１ａ‥‥上ケースカバー、１１ｂ‥‥下ケースカバー、１２‥‥仕切板、１２ａ‥‥接触部、１３‥‥爪、１４ａ，１４ｂ‥‥螺旋形状の爪
【図１】
0004304801.tif 000002
【図２】
0004304801.tif 000003
【図３】
0004304801.tif 000004
【図４】
0004304801.tif 000005
【図５】
0004304801.tif 000006